【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記正極は、電極反応物質を吸蔵放出可能である活物質を含み、
飛行時間型二次イオン質量分析法を用いた前記活物質の負イオン分析により得られるＳＯ2-に起因するピークの強度ＩＳとＬｉＦ2-に起因するピークの強度ＩＦとの比ＩＳ／ＩＦは、０．０４以上である、
二次電池。
【請求項２】
前記活物質は、前記電極反応物質を吸蔵放出可能である中心部と、その中心部に設けられた被覆部とを含み、
前記被覆部は、スルホニル基（＞ＳＯ2 ）を有する化合物を含む、
請求項１記載の二次電池。
【請求項３】
前記スルホニル基を有する化合物は、下記の式（１）〜式（４）のそれぞれで表される化合物からなる群のうちの少なくとも１種を含む、
請求項２記載の二次電池。
【化１】
2014157812.tif 000001
（Ｒ１〜Ｒ４のそれぞれは、水素基、炭化水素基、酸素含有炭化水素基、ハロゲン基、ハロゲン化炭化水素基、ハロゲン化酸素含有炭化水素基、またはそれらの２種類以上が結合された基であり、Ｒ１〜Ｒ４のうちの任意の２つ以上は、互いに結合されていてもよい。）
【化２】
2014157812.tif 000002
（Ｒ５およびＲ６のそれぞれは、水素基、炭化水素基、酸素含有炭化水素基、ハロゲン基、ハロゲン化炭化水素基、ハロゲン化酸素含有炭化水素基、またはそれらの２種類以上が結合された基であり、Ｒ５およびＲ６は、互いに結合されていてもよい。Ｍは、金属元素である。）
【化３】
2014157812.tif 000003
（Ｒ７〜Ｒ１２のそれぞれは、水素基、炭化水素基、酸素含有炭化水素基、ハロゲン基、ハロゲン化炭化水素基、ハロゲン化酸素含有炭化水素基、またはそれらの２種類以上が結合された基であり、Ｒ７〜Ｒ１２のうちの任意の２つ以上は、互いに結合されていてもよい。）
【化４】
2014157812.tif 000004
（Ｒ１３〜Ｒ１６のそれぞれは、水素基、炭化水素基、酸素含有炭化水素基、ハロゲン基、ハロゲン化炭化水素基、ハロゲン化酸素含有炭化水素基、またはそれらの２種類以上が結合された基であり、Ｒ１３〜Ｒ１６のうちの任意の２つ以上は、互いに結合されていてもよい。）
【請求項４】
前記式（１）に示した化合物は、下記の式（１−１）〜式（１−１３）のそれぞれで表される化合物からなる群のうちの少なくとも１種を含み、
前記式（２）に示した化合物は、下記の式（２−１）〜式（２−１１）のそれぞれで表される化合物からなる群のうちの少なくとも１種を含み、
前記式（３）に示した化合物は、下記の式（３−１）〜式（３−１１）のそれぞれで表される化合物からなる群のうちの少なくとも１種を含み、
前記式（４）に示した化合物は、下記の式（４−１）〜式（４−１１）のそれぞれで表される化合物からなる群のうちの少なくとも１種を含む、
請求項３記載の二次電池。
【化５】
2014157812.tif 000005
【化６】
2014157812.tif 000006
【化７】
2014157812.tif 000007
【化８】
2014157812.tif 000008
【請求項５】
飛行時間型二次イオン質量分析法を用いた前記活物質の負イオン分析により得られるＳＮＯ2-に起因するピークの強度ＩＮとＬｉＦ2-に起因するピークの強度ＩＦとの比ＩＮ／ＩＦは、０．０３以上である、
請求項１記載の二次電池。
【請求項６】
前記活物質は、前記電極反応物質を吸蔵放出可能である中心部と、その中心部に設けられた被覆部とを含み、
前記被覆部は、スルホニル基（＞ＳＯ2 ）および窒素結合（＞Ｎ−）を有する化合物を含む、
請求項５記載の二次電池。
【請求項７】
前記スルホニル基および窒素結合を有する化合物は、下記の式（１）および式（２）のそれぞれで表される化合物からなる群のうちの少なくとも１種を含む、
請求項６記載の二次電池。
【化９】
2014157812.tif 000009
（Ｒ１〜Ｒ４のそれぞれは、水素基、炭化水素基、酸素含有炭化水素基、ハロゲン基、ハロゲン化炭化水素基、ハロゲン化酸素含有炭化水素基、またはそれらの２種類以上が結合された基であり、Ｒ１〜Ｒ４のうちの任意の２つ以上は、互いに結合されていてもよい。）
【化１０】
2014157812.tif 000010
（Ｒ５およびＲ６のそれぞれは、水素基、炭化水素基、酸素含有炭化水素基、ハロゲン基、ハロゲン化炭化水素基、ハロゲン化酸素含有炭化水素基、またはそれらの２種類以上が結合された基であり、Ｒ５およびＲ６は、互いに結合されていてもよい。Ｍは、金属元素である。）
【請求項８】
前記式（１）に示した化合物は、下記の式（１−１）〜式（１−１３）のそれぞれで表される化合物からなる群のうちの少なくとも１種を含み、
前記式（２）に示した化合物は、下記の式（２−１）〜式（２−１１）のそれぞれで表される化合物から群のうちの少なくとも１種を含む、
請求項７記載の二次電池。
【化１１】
2014157812.tif 000011
【化１２】
2014157812.tif 000012
【請求項９】
前記活物質は、リチウム複合酸化物を含み、
前記リチウム複合酸化物は、リチウム（Ｌｉ）と、１または２以上の遷移金属元素とを構成元素として含む、
請求項１ないし請求項８のいずれか１項に記載の二次電池。
【請求項１０】
前記リチウム複合酸化物は、前記遷移金属元素としてコバルト（Ｃｏ）を含むと共に、層状岩塩型の結晶構造を有する、
請求項９記載の二次電池。
【請求項１１】
前記リチウム複合酸化物は、その表面に、前記遷移金属元素とは異なる種類である１または２以上の元素を有する、
請求項９または請求項１０に記載の二次電池。
【請求項１２】
充電電圧の上限値は、４．２Ｖ以上４．８Ｖ以下であり、
放電電圧の下限値は、２．０Ｖ以上３．３Ｖ以下である、
請求項１ないし請求項１１のいずれか１項に記載の二次電池。
【請求項１３】
リチウム二次電池である、
請求項１ないし請求項１２のいずれか１項に記載の二次電池。
【請求項１４】
電極反応物質を吸蔵放出可能である活物質を含み、
飛行時間型二次イオン質量分析法を用いた前記活物質の負イオン分析により得られるＳＯ2-に起因するピークの強度ＩＳとＬｉＦ2-に起因するピークの強度ＩＦとの比ＩＳ／ＩＦは、０．０４以上である、
二次電池用電極。
【請求項１５】
電極反応物質を吸蔵放出可能であり、
飛行時間型二次イオン質量分析法を用いた負イオン分析により得られるＳＯ2-に起因するピークの強度ＩＳとＬｉＦ2-に起因するピークの強度ＩＦとの比ＩＳ／ＩＦは、０．０４以上である、
二次電池用活物質。
【請求項１６】
二次電池と、
その二次電池の使用状態を制御する制御部と、
その制御部の指示に応じて前記二次電池の使用状態を切り換えるスイッチ部と
を備え、
前記二次電池は、正極および負極と共に電解液を含み、
前記正極は、電極反応物質を吸蔵放出可能である活物質を含み、
飛行時間型二次イオン質量分析法を用いた前記活物質の負イオン分析により得られるＳＯ2-に起因するピークの強度ＩＳとＬｉＦ2-に起因するピークの強度ＩＦとの比ＩＳ／ＩＦは、０．０４以上である、
電池パック。
【請求項１７】
二次電池と、
その二次電池から供給された電力を駆動力に変換する変換部と、
その駆動力に応じて駆動する駆動部と、
前記二次電池の使用状態を制御する制御部と
を備え、
前記二次電池は、正極および負極と共に電解液を含み、
前記正極は、電極反応物質を吸蔵放出可能である活物質を含み、
飛行時間型二次イオン質量分析法を用いた前記活物質の負イオン分析により得られるＳＯ2-に起因するピークの強度ＩＳとＬｉＦ2-に起因するピークの強度ＩＦとの比ＩＳ／ＩＦは、０．０４以上である、
電動車両。
【請求項１８】
二次電池と、
その二次電池から電力を供給される１または２以上の電気機器と、
前記二次電池からの前記電気機器に対する電力供給を制御する制御部と
を備え、
前記二次電池は、正極および負極と共に電解液を含み、
前記正極は、電極反応物質を吸蔵放出可能である活物質を含み、
飛行時間型二次イオン質量分析法を用いた前記活物質の負イオン分析により得られるＳＯ2-に起因するピークの強度ＩＳとＬｉＦ2-に起因するピークの強度ＩＦとの比ＩＳ／ＩＦは、０．０４以上である、
電力貯蔵システム。
【請求項１９】
二次電池と、
その二次電池から電力を供給される可動部と
を備え、
前記二次電池は、正極および負極と共に電解液を含み、
前記正極は、電極反応物質を吸蔵放出可能である活物質を含み、
飛行時間型二次イオン質量分析法を用いた前記活物質の負イオン分析により得られるＳＯ2-に起因するピークの強度ＩＳとＬｉＦ2-に起因するピークの強度ＩＦとの比ＩＳ／ＩＦは、０．０４以上である、
電動工具。
【請求項２０】
二次電池を電力供給源として備え、
前記二次電池は、正極および負極と共に電解液を含み、
前記正極は、電極反応物質を吸蔵放出可能である活物質を含み、
飛行時間型二次イオン質量分析法を用いた前記活物質の負イオン分析により得られるＳＯ2-に起因するピークの強度ＩＳとＬｉＦ2-に起因するピークの強度ＩＦとの比ＩＳ／ＩＦは、０．０４以上である、
電子機器。